(57)【特許請求の範囲】
【請求項１】
洗濯物を収容し得る袋体の一辺縁部に、洗濯物を出し入れするための開口部が設けられ、前記開口部の近傍に、該開口部の近傍を束ねて縛る束縛手段が設けられた洗濯用ネットであって、
前記束縛手段は、前記開口部が設けられている辺縁部の近傍を束ねた状態で、その周囲に巻き回し得る長さの合成繊維製織テープからなる帯体を具備し、
前記帯体の先端が、前記束ねた状態の辺縁部の近傍に巻き回した該帯体自身の基端近傍に重ね留めされるように構成され、
前記重ね留めされる箇所に、一対の雌部材と雄部材とからなるロック付きのスナップボタンが取り付けられ、
前記雌部材には略円錐台形状の板バネが組み込まれて、該板バネの周面に相当する部分の下縁には内向きに屈曲する係止爪が形成され、
前記雄部材には、周面に環状の係止溝を有する係合突起が突設され、
前記雌部材に組み込まれた板バネの内側に前記雄部材に突設された係合突起が押し込まれると、前記板バネが弾性変形して前記係止爪を前記係止溝に係合させることにより、前記雄部材と前記雌部材とが分離不能にロックされる一方、
前記雌部材の背面側から前記板バネの中央を押しむと、前記板バネが前記係止爪を開くように弾性変形して、前記雄部材と前記雌部材とが分離可能となるように構成され、
前記雌部材が前記帯体の先端近傍に取り付けられ、
前記雄部材が前記帯体の基端近傍に、前記帯体を挟んで前記雌部材とは互いの嵌合面を反対に向けるように取り付けられ、
前記帯体の先端には、該先端に取り付けられた雌部材の背面を被覆するカバー片が、前記帯体の先端を延出して折り返し縫着することにより形成され、
前記帯体の基端が、前記袋体の側縁部に縫着されるか、または該側縁部に縫着された合成繊維製織テープからなる帯体取付片に着脱可能に結合されていることを特徴とする洗濯用ネット。
【請求項２】
洗濯用ネットまたはこれに類するランドリーバッグ、リネンバッグ、クリーニングバッグ等の比較的柔軟な布材からなる洗濯袋類のうちいずれか一つの袋体の開口部近傍を束ねて縛る束縛用具であって、
前記開口部が設けられている辺縁部の近傍を束ねた状態で、その周囲に巻き回し得る長さの合成繊維製織テープからなる帯体を具備し、
前記帯体の先端が、前記束ねた状態の辺縁部の近傍に巻き回した該帯体自身の基端近傍に重ね留めされるように構成され、
前記重ね留めされる箇所に、一対の雌部材と雄部材とからなるロック付きのスナップボタンが取り付けられ、
前記雌部材には略円錐台形状の板バネが組み込まれて、該板バネの周面に相当する部分の下縁には内向きに屈曲する係止爪が形成され、
前記雄部材には、周面に環状の係止溝を有する係合突起が突設され、
前記雌部材に組み込まれた板バネの内側に前記雄部材に突設された係合突起が押し込まれると、前記板バネが弾性変形して前記係止爪を前記係止溝に係合させることにより、前記雄部材と前記雌部材とが分離不能にロックされる一方、
前記雌部材の背面側から前記板バネの中央を押しむと、前記板バネが前記係止爪を開くように弾性変形して、前記雄部材と前記雌部材とが分離可能となるように構成され、
前記雌部材が前記帯体の先端近傍に取り付けられ、
前記雄部材が前記帯体の基端近傍に、前記帯体を挟んで前記雌部材とは互いの嵌合面を反対に向けるように取り付けられ、
前記帯体の先端には、該先端に取り付けられた雌部材の背面を被覆するカバー片が、前記帯体の先端を延出して折り返し縫着することにより形成されていることを特徴とする袋体の束縛用具。
【発明の詳細な説明】
【技術分野】
【０００１】
本発明は、衣類を洗濯する際に用いる洗濯用ネットに関し、より詳細には、一度に大量の衣類や寝具等を洗濯する業務用途に特に適した洗濯用ネットに関する。
【０００２】
また、本発明は、前記洗濯用ネット、およびこれに類して衣類の回収、運搬、洗濯等に利用される袋体の開口部を束縛するための束縛用具に関する。
【背景技術】
【０００３】
医療・介護施設、養護施設等においては、入院患者や入居者が使用した衣類等をまとめて洗濯する業務サービスが利用されている。その種の施設では、入院患者や入居者から預かった衣類等が洗濯時に紛失したり、他人の衣類等と混ざり合ったりすることを防ぐために、通常は利用者ごとに区別された洗濯ネットを用いて衣類等を回収し、洗濯ネットに衣類等を入れたままで洗濯から乾燥、返却まで行うという方式を採用している。かかる方式を採用することにより、洗濯業者の手間も大幅に軽減される。
【０００４】
このような洗濯業務サービスに利用される洗濯用ネットとしては、例えば特許文献１に開示されたものが公知である。当該文献に開示された洗濯用ネットは、畳めば平らになる網状の袋体の開口縁部に開閉用のスライドファスナを取り付けるとともに、袋体の中間部にも袋体のサイズ（高さ）を伸縮させるためのスライドファスナを取り付けて、使用状態に応じ袋体の内容量を変えることができるように構成されている。
【０００５】
また、本出願人も、特許文献２において、網状の袋体の縁部に開閉用のスライドファスナを取り付けるとともに、袋体の表面に使用者名を記載することのできる表示部を設けた洗濯用ネットを提案している。
【先行技術文献】
【特許文献】
【０００６】
【特許文献１】特開２００５−１１１２１８号公報
【特許文献２】特開２００９−９５４９４号公報
【発明の概要】
【発明が解決しようとする課題】
【０００７】
前述のような業務用の洗濯用ネットは、洗濯に際し、大型の洗濯槽にまとめて投入され、強い回転力によって激しく攪拌されることとなる。このとき、洗濯用ネットの開口部に取り付けられたスライドファスナが他の洗濯用ネットの網目に引っかかって他の洗濯用ネットを破損したり、スライドファスナに加わる衝撃やスライドファスナに絡み付く糸屑によってスライドファスナの開閉が困難になったり、スライドファスナを開閉させるためのスライダや引手（摘み）が破損したりするなどのトラブルが生じて、洗濯作業の効率が低下するおそれがある。
【０００８】
かかるトラブルを解消するために、特許文献２に開示された洗濯用ネットは、洗濯時にスライドファスナからスライダの引手を取り外せるようにするとともに、スライドファスナの両端部に取り付けたカバーフラップによってスライダを被覆する、という構成を採用している。しかし、そのような対策を講じても、洗濯用ネットやスライドファスナのトラブルを万全に防げるとはいい難い。特に、洗濯用ネットのサイズに対して収容される洗濯物が少量の場合には、洗濯槽内で攪拌される際に洗濯用ネットの余剰部分が不規則に暴れ、その余剰部分に取り付けられているスライドファスナが傷んだり、あるいは洗濯中にスライドファスナが不用意に開いて洗濯物が飛び出したりする、といったおそれもある。
【０００９】
本発明は、かかる事情に鑑みてなされたもので、洗濯用ネットに強い衝撃が加わっても開口部が容易に開くのを防いで、洗濯時におけるスライドファスナ等のトラブルをさらに低減させることを解決課題とする。
【００１０】
併せて本発明は、前述の解決課題に関連して、洗濯用ネットだけでなく、洗濯用ネットに類する比較的柔軟な布材からなる袋体（例えば、ランドリーバッグ、リネンバッグ、クリーニングバッグなどとも称される袋類）の束縛にも利用し得る束縛用具を提供する。
【課題を解決するための手段】
【００１１】
本発明の洗濯用ネットは、洗濯物を収容し得る袋体の一辺縁部に、洗濯物を出し入れするための開口部が設けられ、前記開口部の近傍に、該開口部の近傍を束ねて縛る束縛手段が設けられたものであることを基本的前提とする。
【００１２】
この束縛手段を利用して、洗濯物を収容した袋体の開口部を開口方向に束ねて縛ると、洗濯用ネットが洗濯槽内で激しく攪拌されても開口部が不用意に開かなくなるとともに、開口部近傍が攪拌時に暴れにくくなって、開口部に取り付けられた開閉部材のトラブルを防止することができる。
【００１３】
ここで、袋体の開口部に取り付けられる開閉部材については、スライドファスナのほか、口紐、ボタン等が想定されるが、本発明においては特にその種類や形態を限定しない。また、開口部に開閉手段が設けられておらず、開口部が常に開き放しになるような洗濯用ネットであっても、この発明にかかる束縛手段を用いて開口部を一時的に束縛すれば、開口部に開閉部材が取り付けられている洗濯用ネットと同様にして、トラブルなく洗濯を行うことができる。
【００１４】
なお、この発明において、開口部の「近傍」、とは、開口部の長さが数十ｃｍ程度の一般的な袋体の場合、開口部から数ｃｍ程度（最大でも１５ｃｍ程度）までの範囲を想定しているが、袋体の大きさに応じた寸法範囲としては、開口部の開口長さの１／４以内（より好ましくは１／５程度）を目安とするものとする。
【００１５】
そして、本発明は、前記束縛手段に関して、前記開口部が設けられている辺縁部の近傍を束ねた状態で、その周囲に巻き回し得る長さの合成繊維製織テープからなる帯体を具備し、前記帯体の先端が、前記束ねた状態の辺縁部の近傍に巻き回した帯体自身に重ね留めされる、との構成を採用する。このような帯体を利用することにより、開口部の近傍をしっかりと束ねて縛ることができる。
【００１６】
さらに本発明は、前記帯体の先端を帯体自身に重ね留めする箇所に、一対の雄部材と雌部材とからなるロック付きのスナップボタンが取り付けられ、前記雌部材には略円錐台形状の板バネが組み込まれて、該板バネの周面に相当する部分の下縁には内向きに屈曲する係止爪が形成され、前記雄部材には、周面に環状の係止溝を有する係合突起が突設され、前記雌部材に組み込まれた板バネの内側に前記雄部材に突設された係合突起が押し込まれると、前記板バネが弾性変形して前記係止爪を前記係止溝に係合させることにより、前記雄部材と前記雌部材とが分離不能にロックされる一方、前記雌部材の背面側から前記板バネの中央を押しむと、前記板バネが前記係止爪を開くように弾性変形して、前記雄部材と前記雌部材とが分離可能となるように構成され、前記雌部材が前記帯体の先端近傍に取り付けられ、前記雄部材が前記帯体の基端近傍に、前記帯体を挟んで前記雌部材とは互いの嵌合面を反対に向けるように取り付けられたことを特徴とする。スナップボタンとは、略円形の雄部材と雌部材とを重ねて嵌合させる金属製または樹脂製の留め具であって、スナップファスナ、あるいは単にスナップとも称され、衣料、皮革製品、手工芸品等の着脱部位に広く利用されている。かかるスナップボタンのうち、特に雄部材または雌部材の一方に板バネ等を利用したロック機構を組み込み、ボタンの中央を押し込むなどして板バネ等を変形させると、板バネ等が相手側部材に係合して雄部材と雌部材とが外れなくなるように構成されたものが公知である（例えば、特開平５−２３７００８号公報、特開２００７−３０１１６５号公報等）。帯体を重ね留めする箇所に、このようなロック付きのスナップボタンを採用すれば、洗濯時の激しい攪拌に晒されても帯体が外れるのを防ぐことができる。
【００１７】
さらに本発明は、前記帯体の先端に、該先端に取り付けられたスナップボタンの雌部材の背面を被覆するカバー片が、前記帯体の先端を延出して折り返し縫着することにより形成されている、との構成を採用する。このカバー片によってスナップボタンの雌部材の背面を被覆すれば、カバー片が緩衝材となってスナップボタンを衝撃から保護することができる。また、スナップボタンが他の洗濯ネットを損傷するなどのトラブルもさらに万全に防止することができる。
【００１８】
前記束縛手段は、前記袋体に対して常時、一体的に結合されていてもよいし、着脱可能に結合されてもよい。一体的に結合される構成を採用する場合は、前記帯体の基端を、前記袋体の側縁部に縫着するのが好ましい。
【００１９】
着脱可能に結合される構成を採用する場合は、前記帯体の基端を、前記袋体の側縁部に直接、着脱してもよいし、前記袋体の側縁部に帯体取付片を縫着し、その帯体取付片を介して間接的に着脱してもよい。帯体を袋体に対して着脱可能に構成すれば、束縛手段を必要に応じて使用することができる。すなわち、洗濯用ネットに、その容量一杯に近い量の洗濯物が詰め込まれている場合には、その開口部近傍を束ねて縛るのは困難であるし、またその必要性も少ないことから、あらかじめ帯体を取り外した状態で洗濯する、という使い方ができ、これによって洗濯作業の効率も向上する。袋体と帯体との着脱箇所には、例えば通常のスナップボタン（ロック付きでなくてもよい）を利用することができる。
【００２０】
また、前記開口部の近傍には、前記帯体を挿通させるベルト通し状の保持部材が取り付けられていてもよい。帯体をこのような保持部材に挿通させて巻き回すことにより、洗濯時の衝撃等によって束縛手段がずれるのを防ぐことができる。
【００２２】
また、洗濯用ネットその他の袋体を束ねて縛る束縛用具の発明は、前記開口部が設けられている辺縁部の近傍を束ねた状態で、その周囲に巻き回し得る長さの合成繊維製織テープからなる帯体を具備し、前記帯体の先端が、前記束ねた状態の辺縁部の近傍に巻き回した該帯体自身の基端近傍に重ね留めされるように構成され、前記重ね留めされる箇所に、一対の雌部材と雄部材とからなるロック付きのスナップボタンが取り付けられ、前記雌部材には略円錐台形状の板バネが組み込まれて、該板バネの周面に相当する部分の下縁には内向きに屈曲する係止爪が形成され、前記雄部材には、周面に環状の係止溝を有する係合突起が突設され、前記雌部材に組み込まれた板バネの内側に前記雄部材に突設された係合突起が押し込まれると、前記板バネが弾性変形して前記係止爪を前記係止溝に係合させることにより、前記雄部材と前記雌部材とが分離不能にロックされる一方、前記雌部材の背面側から前記板バネの中央を押しむと、前記板バネが前記係止爪を開くように弾性変形して、前記雄部材と前記雌部材とが分離可能となるように構成され、前記雌部材が前記帯体の先端近傍に取り付けられ、前記雄部材が前記帯体の基端近傍に、前記帯体を挟んで前記雌部材とは互いの嵌合面を反対に向けるように取り付けられたものとして特徴づけられる。
【００２３】
ここで、「その他の袋体」とは、例えば、医療施設、養護施設、宿泊施設、入浴施設、スポーツ施設等において、衣類、肌着、タオル、寝具等の回収・運搬等に利用される、ランドリーバッグ、リネンバッグあるいはクリーニングバッグなどと称される、比較的柔軟な布材からなる大きめの袋類（これらを「洗濯袋類」と総称する。）のいずれか一つを想定している。このような袋類には、複数個の洗濯用ネットを適宜仕分けしながらまとめて運ぶための袋類も含む。本発明の束縛用具によれば、そのような洗濯袋類についても、その開口部、あるいは底部近傍その他の適宜箇所を必要に応じ束縛して、容易には拡がらない状態に保持することができる。
【００２４】
前記束縛用具においては、前記帯体の先端に、該先端に取り付けられたスナップボタン（雄部材または雌部材いずれか一方）の背面を被覆するカバー片が、前記帯体の先端を延出して折り返し縫着することにより形成されているのが好ましい。このようなカバー片によってスナップボタンの背面を被覆すれば、カバー片が緩衝材となってスナップボタンを衝撃から保護することができるとともに、スナップボタンが他の洗濯袋類を損傷するのも防止することができる。
【発明の効果】
【００２５】
前述のとおり、本発明の洗濯用ネットは、洗濯物を出し入れするための開口部の近傍に、該開口部の近傍を束ねて縛ることのできる束縛手段が設けられるものである。その束縛手段を用いて開口部近傍を縛ると、洗濯時に開口部が暴れるのを防ぐことができ、その結果、開口部に取り付けられている開閉部材が傷んだり、開閉部材が開いて洗濯物が飛び出したりするなど、開口部周りのトラブルを生じにくくすることができる。
【００２６】
また、本発明の袋体の束縛用具は、洗濯袋類の袋体を束ねて、その周囲に巻き回すことのできる帯体を具備し、その帯体の先端がロック付きのスナップボタンを介して帯体自身の基端近傍に重ね留めされるように構成されているので、簡単な操作で確実に、洗濯袋類の開口部その他適宜箇所を拡がらないようにしっかりと束縛することができる。
【図面の簡単な説明】
【００２７】
【図１】本発明の実施形態に係る洗濯用ネットの全体的構成を示す斜視図である。
【図２】図１に示した洗濯用ネットにおける開口部の構造及び使用方法を示す説明図であって、（ａ）はスライドファスナを全閉した状態、（ｂ）はスライドファスナを開いて分離した状態、（ｃ）はスライドファスナからスライダを抜き取った状態をそれぞれ示す。
【図３】図２に示したスライドファスナにおける端部の構成を拡大して示す説明図である。
【図４】図２に示したスライドファスナに取り付けられる着脱式引手の構成を拡大して示す説明図であって、（ａ）はスライダに掛着される状態の上面形状、（ｂ）はスライダから離脱する状態の上面形状、（ｃ）は側面形状をそれぞれ示す。
【図５】図１に示した洗濯用ネットの使用状態を説明する斜視図である。
【図６】図１に示した洗濯用ネットに取り付けられる束縛用具の構成を拡大して示す部分正面図である。
【図７】図６に示した束縛用具の使用状態を示す説明図である。
【図８】図６に示した束縛用具に取り付けられているロック付きのスナップボタンの構造を示す断面図であって、（ａ）はロック解除状態、（ｂ）はロック状態をそれぞれ示す。
【図９】束縛用具の他の実施形態を示す部分正面図である。
【図１０】開口部の構成が異なる洗濯用ネットの全体的構成を示す斜視図である。
【発明を実施するための形態】
【００２８】
以下、本発明の実施の形態について図を参照して説明する。
【００２９】
（洗濯用ネットの全体的構成）
本発明の洗濯用ネットは、洗濯物を収容し得る袋体の一辺縁部に、洗濯物を出し入れするための開口部を設けたものとして構成される。
【００３０】
その一実施形態として図１に示した洗濯用ネット１の袋体２は、マチのない縦長矩形の平袋であって、左右の側縁部２１、２１をそれぞれ表裏重ね合わせて袋状に縫製されている。ただし、袋体２の形態は必ずしもこれに限定されるものではなく、少なくとも一の辺縁部に開閉可能な開口部２０が設けられる形状であれば、マチや底を有するものなど、他の形状であってもよい。
【００３１】
袋体２自身を構成する網材には、例えばポリエステル系繊維やポリアミド系繊維など、耐水・耐薬品性に優れた柔軟で強靱な合成繊維製編地が利用される。例示形態では、網目が六角形状をなすラッセル編地が採用されている。六角形状の網目は、編糸の連結部に加わる力が分散されて破れにくくなるとともに、洗濯時に衣服から解れ出た糸屑などが網目の角部に絡みにくくなる、といった点で、洗濯用ネットには好適である。
【００３２】
また、袋体２の片側面には、使用者の名前等を記載するための表示部２２が設けられている。表示部２２は、薄い布地や合成樹脂製の柔軟なシート材等を利用して形成され、洗濯時にも外れないように袋体２に縫着されている。
【００３３】
（開口部の構成）
洗濯用ネットの開口部は通常、その利用態様に応じた開閉部在によって開閉し得るように構成される。例示形態では、袋体２における上側の辺縁部に、開口部２０を開閉するための開閉部材としてスライドファスナ３が取り付けられている。図２〜図４にスライドファスナ３の詳細な構成例を示す。例示のスライドファスナ３は、両端いずれからでも開閉可能な、いわゆる逆開きダブルファスナであって、一対のファスナ半体３１、３１と、それらを開閉する２個のスライダ４、４とを具備している。
【００３４】
各ファスナ半体３１は、ファスナテープ（基布）の片側縁に複数個のエレメント（務歯）を取り付けて形成されている。ファスナテープの他側縁は、袋体２の開口端縁に沿って略直線的に縫い付けられる。各ファスナ半体３１におけるエレメント列の一端には、スライダ４のレール４１（図４参照）を通過し得る形状の蝶棒３２が取り付けられ、同エレメント列の他端には、スライダ４のレール４１を通過不能な形状の箱棒３３が取り付けられている。そして、一方のファスナ半体３１の箱棒３３が、他方のファスナ半体３１の蝶棒３２と対をなし、また、一方のファスナ半体３１の蝶棒３２が、他方の出入口ファスナ半体３１の箱棒３３と対をなすように、それぞれが互いに逆配置されている。
【００３５】
各スライダ４には、両ファスナ半体３１、３１のエレメント列に係合してエレメント同士を噛合・分離させるＹ字状のレール４１が形成されている。また、スライダ４の背面に突設された柱部４２（図４参照）には、スライダ４を移動させるための引手５が取り付けられている。なお、例示形態に係る引手５は、使用状態に応じてスライダ４に簡単に着脱し得るようになっているが、その構成については後述する。
【００３６】
図２に示すように、逆開きダブルファスナにおいては、２個のスライダ４、４が、レール４１の閉じる側（エレメント列同士を噛合させる側）を互いに対向させた、いわゆる尻合わせの向きで、両ファスナ半体３１、３１に係合される。したがって、同図（ａ）に示すように、２個のスライダ４、４を互いに離反させ、それぞれをスライドファスナ３の一端及び他端に移動させると、スライドファスナ３は全閉となる。
【００３７】
また、同図（ｂ）に示すように、いずれか一方のスライダ４をスライドファスナ３のいずれか一端に寄せて２個のスライダ４、４同士を当接させると、スライドファスナ３の他端側が開く。例示形態においては、各ファスナ半体３１、３１の両端に蝶棒３２と箱棒３３とが互いに逆配置されているので、２個のスライダ４、４が寄せられた当該一端において、一方（当該一端に蝶棒３２が取り付けられているほう：図示下側）のファスナ半体３１の端部を摘んでスライドファスナ３の中央側へずらすと、当該ファスナ半体３１の一端に取り付けられた蝶棒３２が両スライダ４、４のレール４１を通過して、当該ファスナ半体３１が２個のスライダ４、４から抜き取られる。このとき、他方（図示上側）のファスナ半体３１の当該一端に取り付けられた箱棒３３は、２個のスライダ４、４が当該他方のファスナ半体３１から抜け出すのを防ぐストッパとして機能する。こうして、両ファスナ半体３１、３１同士は、その全長にわたって完全に分離される。そして、２個のスライダ４、４は、他方（当該一端に箱棒３３が取り付けられているほう：図示上側）のファスナ半体３１に係合した状態で取り残される。
【００３８】
その状態から同図（ｃ）に示すように、２個のスライダ４、４を、それらが係合している他方（図示上側）のファスナ半体３１に沿わせて他端側へと移動させる。当該ファスナ半体３１の他端に取り付けられているのはスライダ４のレール４１を通過可能な蝶棒３２であるから、２個のスライダ４、４は、その蝶棒３２から抜け出す。こうして、２個のスライダ４、４が、スライドファスナ３から完全に分離される。２個のスライダ４、４をスライドファスナ３に係合させる場合は、前記分離手順の逆順による。
【００３９】
このように、両ファスナ半体３１、３１の両端に蝶棒３２及び箱棒３３を互いに逆配置で取り付け、尻合わせにした２個のスライダ４、４をスライドファスナ３に対し着脱自在に係合させることにより、例えばスライダ４が損傷したとき、壊れたスライダ４を簡単に取り外して交換することができる。また、スライドファスナ３に糸屑が絡み付いたとき、スライダ４を取り外してエレメントやスライダ４を清掃するもの容易になる。しかも、これらの作業には特別な工具や技能を必要としない。
【００４０】
スライドファスナ３の両端部には、短い帯片状をなすサイドタブ３６が、それぞれスライドファスナ３の延長方向に張り出すようにして取り付けられている。これらのサイドタブ３６は、上述のようなスライダ４の移動操作に際して、スライドファスナ３の端部を指先でしっかりと摘み易くするための部材である。図３に、サイドタブ３６の取付形態を拡大して示す。
【００４１】
サイドタブ３６は、例えばポリエステル系繊維のような比較的コシの強い合成繊維製の織テープ等からなり、その基端側が、両ファスナ半体３１、３１の端部近傍下面に重ねて縫合される。そして、両ファスナ半体３１、３１同士が分離しているときには、サイドタブ３６が、それ自身の幅によって、箱棒３３と蝶棒３２とを数ミリ程度の離間状態に保持し、両ファスナ半体３１、３１同士が噛合しているときには、自身の幅を湾曲させて、箱棒３３と蝶棒３２とを接触状態に保持する。また、両ファスナ半体３１、３１にスライダ４を係脱する際には、サイドタブ３６がスライドファスナ３の長手方向に適度の自由度をもって撓み変形することによりスライダ４の係脱を可能にする。
【００４２】
さらに、このサイドタブ３６には、スライドファスナ３の端部に寄せられたスライダ４を被覆するためのカバーフラップ３８が取り付けられている。カバーフラップ３８は、サイドタブ３６に準じた合成繊維製の織テープ等からなる短い帯片を利用して形成される。図３に示したカバーフラップ３８は、その基端側がサイドタブ３６の上面に重ねて縫合され、自由端側がスライドファスナ３の端部近傍上面に重ねられて、図３中に想像線で示すように、該端部に寄せられたスライダ４の背面を覆うように構成されている。
【００４３】
スライドファスナ３は、洗濯・乾燥作業時には閉じられた状態、つまり各スライダ４、４がスライドファスナ３の両端に寄せられた状態で使用される。したがって、上述のようにスライドファスナ３の両端にて各スライダ４、４をそれぞれ被覆することにより、洗濯・乾燥作業時に、スライダ４に他の洗濯用ネット１が引っ掛かったり、スライダ４が洗濯槽等に衝突して損傷したりといった、スライダ４に起因するトラブルを防ぎやすくなる。カバーフラップ３８の自由端側を捲り上げれば、ファスナ半体３１、３１にスライダ４を係脱させる作業も無理なく行うことができる。
【００４４】
図４は、スライダ４に取り付けられる、着脱式の引手５の概略構成を示す。この引手５は、先端にフック５１を有する本体５２と、該フック５１を開閉させる可動部材５３とを組み合わせて構成される。本体５２は、上面視略長方形状の金属板からなり、先端に略Ｌ字状のフック５１が形成されている。本体５２の上面中央部分には本体５２の長手方向に延びる凹部５４が形成されて、この凹部５４内に可動部材５３が嵌め込まれる。
【００４５】
可動部材５３は、やや弾性変形可能な合成樹脂からなり、その先端には短爪部５５が形成され、後端上面には断面略半円形状の指掛部が形成されている。可動部材５３の下面には係合片（図示せず）が突設され、その係合片が本体５２の凹部５４に形成された溝孔５６に係合することにより、本体５２に対し可動部材５３が長手方向に摺動し得るように保持される。本体５２と可動部材５３との当接面には互いに係合する適宜の小突起（図示せず）やバネ片５７等が形成されて、可動部材５３がその摺動範囲の両端にて係止されるようになっている。
【００４６】
本体５２のフック５１をスライダ４の柱部４２に掛着した状態で、図４（ａ）に示すように、可動部材５３を本体５２の先端側に摺動させると、可動部材５３の短爪部５５が本体５２のフック５１を閉じて引手５がスライダ４から離れなくなり、この引手５を持ってスライダ４を移動させることができる。また、図４（ｂ）に示すように、可動部材５３を本体５２の後端側に摺動させると、可動部材５３の短爪部５５が本体５２のフック５１から離れて、この引手５をスライダ４の柱部４２から取り外すことができる。
【００４７】
なお、この実施形態は、スライダ４に対して引手５を着脱可能にする構成の一例を示したものであるが、本発明における引手５の構成は、これに限定されるものではなく、例えばナスカンのような部材をはじめとする従来公知の着脱機構も利用可能である。
【００４８】
このような構成によれば、洗濯時に各スライダ４から引手５を取り外すことにより、引手５に他の洗濯用ネット１が引っ掛かったり、作業時の衝撃で引手５が損傷したりするなどのトラブルを防ぐことができる。
【００４９】
このような着脱式の引手５と併せて、いわゆるオートマチックスライダ（自動停止機能付スライドファスナ用スライダ）を利用するのも好ましい。オートマチックスライダとは、スライダの胴体内にスライダの移動を拘束するロック機構（図４中の符号４３）が内蔵されており、引手５を引っ張るとロックが解除されて移動可能になるスライダである。その種のスライダ４に着脱式の引手５を組み合わせれば、引手５を外すとスライダ４の移動がロックされてしまうので、洗濯時の攪拌動作等によってスライドファスナ３が不用意に開いてしまうことを、より確実に防止することができる。
【００５０】
（束縛手段の構成）
本発明の要部は、袋体の開口部に近接して、該開口部の近傍を束ねて縛る束縛手段が設けられた点にある。以下、図１、図５〜図７等を参照しつつ、束縛手段の具体的形態としての束縛用具６について詳述する。
【００５１】
例示の束縛用具６は、開口部２０が設けられている袋体２の辺縁部の近傍を開口方向に束ねた状態で、その周囲に巻き回し得る長さの柔軟な帯体６１を具備する。帯体６１は、例えばナイロン、アクリル、ポロプロピレンその他の合成繊維からなる細幅（２〜３ｃｍ）の織テープ等を用いて形成され、その基端が開口部２０に近接する袋体２の側縁部に結合される。ここで、開口部２０の「近傍」、あるいは開口部２０に「近接」とは、開口部２０の長さが数十ｃｍ程度の一般的な袋体２の場合、開口部２０から数ｃｍ程度（最大でも１５ｃｍ程度）までの範囲を想定しているが、袋体２の大きさに応じた寸法範囲としては、開口部２０の開口長さの１／４以内（より好ましくは１／５程度）を目安とするものとする。
【００５２】
帯体６１は、その基端が袋体２の側縁部等に直接、縫着されるなどして袋体２と不可分的に一体化されていてもよいし、袋体２とは別体に形成されて、必要に応じ袋体２に着脱されるようになっていてもよい。例示形態の帯体６１は、帯体取付片６２を介して袋体２と間接的に着脱される。帯体取付片６２は、帯体６１と同様の素材で略同幅の短い織テープ等を用いて形成され、その基端が袋体２の側縁部に縫着されている。そして、この帯体取付片６２に、帯体６１の基端が着脱可能に結合される。帯体取付片６２と帯体６１との着脱箇所には、互いに嵌合可能な一対の雄部材と雌部材とからなる合成樹脂製または金属製のスナップボタン６３が好適に利用される。このように、袋体２に対して帯体６１を着脱可能にすれば、洗濯物の量に応じて、必要な場合にのみ帯体６１を使用することができる
帯体６１の先端は、束ねた袋体２の周囲に巻き回されて、帯体６１自身の中間部分に重ね留めされる。帯体６１を重ね留めする手段としては、例えば面ファスナが想定されるが、面ファスナは洗濯を繰り返すと接着面に糸屑が付着して接着力が著しく低下するので、あまり好ましくない。一般的なスナップボタンも、洗濯時に強い力を受けると外れてしまうおそれがある。
【００５３】
そこで、本発明の洗濯用ネット１においては、帯体６１を重ね留めするための手段として、ロック付きのスナップボタン７を採用している。ロック付きのスナップボタン７とは、金属や合成樹脂等からなる雄部材または雌部材の一方に板バネ等を利用したロック機構を組み込み、ボタンの中央を押し込むなどして板バネ等を変形させると、板バネ等が相手側部材に係合して雄部材と雌部材とが外れなくなるように構成されたものである。
【００５４】
図８にロック付きのスナップボタン７の一例を示す。例示のスナップボタン７は金属製で、図示上側に示す雌部材７Ａに組み込まれた板バネ７１が、図示下側に示す雄部材７Ｂに係脱するように構成されている。
【００５５】
雌部材７Ａは、留め鋲７２を介して帯体６１に取り付けられた外ケース７３および内ケース７４、内ケース７４の内側に収容された略円錐台形状の板バネ７１、外ケース７３と内ケース７４との間に介装されたバネカバー７５等を具備する。外ケース７３および内ケース７４の中央部分は上面視円形に開口しており、その開口が、柔軟な素材からなるバネカバー７５によって塞がれている。
【００５６】
板バネ７１は、円錐台形の周面に相当する部分が６ヶ所程度に分割されていて、分割された各傾斜脚片７１１の下縁に、内向きに屈曲する係止爪７１２が形成されている。板バネ７１の天面部７１３は略皿状に膨湾しており、この天面部７１３を上方から押し込んで下向きに凸の状態にすると、各傾斜脚片７１１の傾斜角度が拡がり、係止爪７１２の間隔が開く。また、天面部７１３を下方から押し上げて上向きに凸の状態にすると、各傾斜脚片７１１の角度が狭まり、係止爪７１２の間隔が閉じる。
【００５７】
雄部材７Ｂは、リベット７６を介して帯体６１を挟むように取り付けられた外ケース７７と係合ピース７８とを具備している。係合ピース７８は、円板状の下縁フランジ７８１の中央に係合突起７８２が突設された形状をなし、係合突起７８２は、その略下半部が円筒状、略上半部が上向きに縮径した円錐台形状に形成されている。そして、円筒状をなす略下半部の外周面に、環状の係止溝７８３が形成されている。
【００５８】
図８（ａ）に示すように、互いに離れた状態にある雄部材７Ｂと雌部材７Ａとを重ね合わせて、雄部材７Ｂの係合突起７８２を雌部材７Ａの板バネ７１の内側に強く押し込むと、図８（ｂ）に示すように、係合突起７８２の上端が板バネ７１の天面部７１３に当接し、天面部７１３を下方から押し上げて上向きに凸の状態に弾性変形させる。すると、板バネ７１の係止爪７１２が係合突起７８２の係止溝７８３に係合してロック状態になり、雄部材７Ｂと雌部材７Ａとが分離できなくなる。
【００５９】
ロック状態を解除するには、図８（ｂ）に示す状態で、雌部材７Ａの中央をバネカバー７５の上方から指先で押し下げ、板バネ７１の天面部７１３を下向きに凸の状態に弾性変形させる。すると、板バネ７１の係止爪７１２が開いて係止溝７８３への係合が解かれ、図８（ａ）に示したように、雄部材７Ｂと雌部材７Ａとが分離可能になる。
【００６０】
このように、雌部材７Ａと雄部材７Ｂとを強めに嵌合させるだけで両者が分離不能にロックされ、雌部材７Ａの中央を押すだけでロックが解除される簡素な機構のロック付きスナップボタン７が帯体６１の重ね留め箇所に取り付けられている。例示形態では、雌部材７Ａと雄部材７Ｂとが、帯体６１の先端近傍および基端に近い中間部分に、帯体６１を挟んで互いの嵌合面を反対に向けるように取り付けられている。この配置関係は、図７に示したように、板バネ７１が組み込まれた側（例示形態では雌部材７Ａ）を帯体６１の先端側に取り付けると、帯体６１を巻き回したときに、帯体６１の外側からロック解除の操作をしやすい、との配慮に基づいている。このような構成により、袋体２の開口部２０の近傍を、きわめて簡単に、かつ、洗濯時の激しい攪拌に晒されても外れないようにしっかりと束ねて縛ることができる。
【００６１】
図９は、帯体６１の先端近傍部分に関する他の実施形態を示す。例示の形態は、帯体６１の先端にスナップボタン７（雌部材７Ａ）の背面を被覆するカバー片６４を設けたものである。カバー片６４は、帯体６１の先端を延出して外側に折り返し縫着することにより形成されている。帯体６１の折り返し端は、スナップボタン７の縁部から数ｍｍ程度、先端側に延び出している。スナップボタン７のロックを解除する操作は、カバー片６４の上から行う。このようなカバー片６４によってスナップボタン７の背面を被覆すれば、カバー片６４が緩衝材となってスナップボタン７を洗濯時の衝撃から保護することができるとともに、スナップボタン７が他の洗濯ネットを損傷するなどのトラブルもさらに万全に防止することができる。
【００６２】
このように、本発明の洗濯用ネット１は、袋体２の一辺縁部に開口部２０が設けられた洗濯用ネット１において、開口部２０の近傍に束縛手段としての束縛用具６を設け、この束縛用具６を利用して、洗濯物を収容した袋体２の開口部２０を開口方向に束ねて縛ることができるように構成されているので、洗濯中に袋体２の開口部２０が不用意に開かなくなるとともに、開口部２０近傍が洗濯槽内で暴れにくくなって、攪拌時の衝撃等による開閉部材のトラブルを防止することができる。
【００６３】
なお、袋体２の開口部２０を開閉するための開閉手段に関して、前述の実施形態では逆開きダブルファスナタイプのスライドファスナ３を例示したが、本発明における開口部２０の開閉手段は、特に前記タイプのスライドファスナ３に限定されるものではなく、様々なタイプのファスナ等を利用することができる。また、例えば図１０に示すように、巾着のような口紐（引き締め紐）３０によって開口部２０を開閉することも可能である。その場合も、開口部２０の近傍に前述のような束縛用具６を設けて、同様に使用することができる。
【００６４】
あるいはまた、袋体の開口部にスライドファスナその他の開閉手段が設けられておらず、開口部が常に開き放しで使用されるような洗濯用ネットについても、前述のような束縛用具６を用いることにより、洗濯時にはその開口部を強固に閉じ合わせることができる。
【００６６】
また、束縛用具６を構成する帯体６１と袋体２との結合形態について、前述の実施形態では袋体２に帯体取付片６２を縫着し、その帯体取付片６２に帯体６１をスナップボタン６３で着脱する形態を例示した。しかし、そのスナップボタン６３も洗濯の繰り返し等によって劣化するおそれがある。そこで、場合によってはスナップボタン６３も交換できるように、帯体取付片６２と袋体２との縫着箇所も分離可能にしておくと、なお好ましい。具体的には、袋体２の側縁部にあらかじめタグを縫い付けておき、そのタグに帯体取付片６２の基端を縫着するなどの構成を採用すれば、その縫着箇所の縫糸を解くことによって帯体取付片６２も交換可能になる。
【００６７】
あるいはまた、袋体２と束縛用具６とが結合されず、両者が完全に別々になった状態で使用されてもよい。この場合、袋体２の中に洗濯物を入れて、開口部２０の近傍を束縛用具６で緩みのないように束縛すれば、単にそれだけでも束縛用具６が袋体２からは容易に抜け出さない状態に保持される。さらに万全を期すならば、例えば図１０に示すように、開口部２０の近傍にベルト通し状の保持部材６６を縫着等によって取り付け、その保持部材６６に束縛用具６を挿通させて、束縛用具６のずれや抜け落ちを防ぐのも好ましい。
【００６８】
さらに、本発明の洗濯用ネット１においては、図１および図５に示したように、袋体２の深さ方向における下半部に、第２の束縛手段としての束縛用具６０を設けることもできる。例示の束縛用具６０それ自体は、開口部２０の近傍に設けられる前述の束縛用具６と同様に構成することができるので、その詳細な説明は省略する。「下半部」とは、袋体２の深さ方向における下端から１／２までの範囲を目安とし、実用的には下端から１／３ないし１／２程度の位置が特に好ましい。洗濯用ネット１に収容された洗濯物の量が少ない場合には、開口部２０の近傍に設ける第１の束縛手段だけでなく、第２の束縛手段を用いて袋体２の下半部も縛ることにより、さらに効率よく、かつトラブルも生じにくい状態で洗濯を行うことができるようになる。
【００６９】
また、第２の束縛手段は、洗濯用ネット１の容量を調整するために利用することもできる。すなわち、あらかじめ第２の束縛手段を用いて袋体２の下半部を束ね、容量を少なくした状態で洗濯用ネット１を利用者に貸与することにより、利用者が洗濯物を詰め込み過ぎないように制限するとともに、洗濯時には第２の束縛手段を解いて容量を増やし、洗濯や乾燥の効率を高める、といった使い方も可能になる。
【符号の説明】
【００７０】
１  洗濯用ネット
２  袋体
２０  開口部
３  スライドファスナ
４  スライダ
６  束縛用具
６０  第２の束縛手段
６１  帯体
６２  帯体取付片
６３  スナップボタン
６４  カバー片
６６  保持部材
７  ロック付きのスナップボタン
７Ａ  雌部材
７Ｂ  雄部材
【図１】
0006017609.tif 000002
【図２】
0006017609.tif 000003
【図３】
0006017609.tif 000004
【図４】
0006017609.tif 000005
【図５】
0006017609.tif 000006
【図６】
0006017609.tif 000007
【図７】
0006017609.tif 000008
【図８】
0006017609.tif 000009
【図９】
0006017609.tif 000010
【図１０】
0006017609.tif 000011